(57)【要約】【課題】地震による揺れの状況をからだと目と耳の三感で説得力をもって感じ取ってもらうことができ、しかも、それを省スペースで実現することができる、地震模擬体験システム及び地震模擬体験提供方法を提供する。【解決手段】地震による揺れの状況を映像で見せる画面と、地震による揺れの状況を振動で体感させる振動源と、地震による揺れの状況を音で聞かせるスピーカーとが備えられ、地震による揺れの状況が、体験する者に、画面に表示される映像と、振動源から伝えられる振動と、スピーカーからの音とで、同時に伝えられるようになされており、かつ、該態様で伝えられる揺れの状況を複数種類、比較して体験できるようになされている。【選択図】      図１
2006189481.tif 000002
【特許請求の範囲】
【請求項１】
地震による揺れの状況を映像で見せる画面と、
地震による揺れの状況を振動で体感させる振動源と、
地震による揺れの状況を音で聞かせるスピーカーと
が備えられ、地震による揺れの状況が、体験する者に、画面に表示される映像と、振動源から伝えられる振動と、スピーカーからの音とで、同時に伝えられるようになされており、かつ、該態様で伝えられる揺れの状況を複数種類、比較して体験できるようになされていることを特徴とする地震模擬体験システム。
【請求項２】
前記映像が立体映像である請求項１に記載の地震模擬体験システム。
【請求項３】
前記揺れの状況が建物の内部における状況である請求項１又は２に記載の地震模擬体験システム。
【請求項４】
耐震建物の剛性の違いによる揺れの状況の違いを比較して体験できるようになされている請求項１乃至３のいずれか一に記載の地震模擬体験システム。
【請求項５】
耐震建物における揺れの状況と免震建物における揺れの状況とを比較して体験できるようになされている請求項１乃至４のいずれか一に記載の地震模擬体験システム。
【請求項６】
振動源がシステム用の床に設けられ、該床に、体験希望者を座らせるイスが設置され、振動源の振動がイスを通じてからだに伝えられるようになされており、かつ、イスの正面側に画面が設置されている請求項１乃至５のいずれか一に記載の地震模擬体験システム。
【請求項７】
振動源の振動が、前記システム用の床を設置する床に伝わるのを抑制ないしは防止する防振手段が備えられている請求項１乃至６のいずれか一に記載の地震模擬体験システム。
【請求項８】
請求項１乃至７のいずれか一に記載の地震模擬体験システムを用い、体験希望者に地震模擬体験をしてもらうことを特徴とする地震模擬体験提供方法。
【発明の詳細な説明】
【技術分野】
【０００１】
本発明は、地震模擬体験システム及び地震模擬体験提供方法に関する。
【背景技術】
【０００２】
家具や、吊り式、置き式等の電灯、瓶類、食器類等を設置して建物の内部の状況を再現した台の上に体験希望者に乗ってもらい、該台を起振機で揺らすことにより、地震による揺れをからだで感じとってもらい、同時に、地震時の家具等の動きを目で見てもらい、家具等から発する音を耳で聞いてもらうことは、地震に対する備えがいかに重要であるかを説得力をもって知ってもらう上で、非常に有効的な方法である。
【発明の開示】
【発明が解決しようとする課題】
【０００３】
しかしながら、上記のような体験設備では、家具等を視覚と聴覚に訴える唯一の手段とするものであるため、台の上には家具等をある程度充実させて設置しておかなければ臨場感のある体験をしてもらうことができず、そのため、台も起振機も大型化して、体験設備が大掛かりなものになり、設備の設置スペースの確保が容易ではなく、普及しにくいという問題がある。
【０００４】
本発明は、上記のような問題点に鑑み、地震による揺れの状況をからだと目と耳の三感で説得力をもって感じ取ってもらうことができ、しかも、それを省スペースで実現することができる、地震模擬体験システム及び地震模擬体験提供方法を提供することを課題とする。
【課題を解決するための手段】
【０００５】
上記の課題は、地震による揺れの状況を映像で見せる画面と、
地震による揺れの状況を振動で体感させる振動源と、
地震による揺れの状況を音で聞かせるスピーカーと
が備えられ、地震による揺れの状況が、体験する者に、画面に表示される映像と、振動源から伝えられる振動と、スピーカーからの音とで、同時に伝えられるようになされており、かつ、該態様で伝えられる揺れの状況を複数種類、比較して体験できるようになされていることを特徴とする地震模擬体験システム地震模擬体験システムによって解決される。
【０００６】
この体験システムでは、画面と振動源とスピーカーが備えられて、地震による揺れの状況が、体験する者に、画面に表示される映像と、振動源から伝えられる振動と、スピーカーからの音とで、同時に伝えられるようになされているので、体験する者に、からだと目と耳の三感を使ってもらって説得力をもって地震を模擬的に体験してもらうことができる。
【０００７】
しかも、目で見てもらうのは映像であり、耳で聞いてもらうのはスピーカーから発する音であるので、家具等の設置を省略したり少なくしたりすることができて、設備を小型化でき、設備の設置スペースの確保を容易にすることができると共に、安全に体験してもらうことができる。
【０００８】
加えて、本体験システムでは、地震による揺れの状況を複数種類、比較して体験できるようになされているので、単に揺れを感じることができるだけでなく、地震による揺れの状況の違いによる感じ方の違いを知ることができて、相対評価を通じて納得のいく意味深い体験をしてもらうことができる。
【０００９】
前記映像が立体映像である場合は、体験する者に、あたかも映像の中に身を置いているような錯覚を起こさせることができて、映像の中に気持ちを溶け込ませることができ、地震による揺れの状況を視覚を通じてリアルに体験することができる。
【００１０】
前記揺れの状況が建物の内部における状況である場合は、多くの人が日常的に最も遭遇しやすい身近な状況での体験を実現でき、人の気持ちを引き付けて体験願望を沸き立たせることができる。
【００１１】
耐震建物の剛性の違いによる揺れの状況の違いを比較して体験できるようになされている場合は、耐震建物か免震建物かの選択枝以外の選択を耐震建物のなかで行うことができることを模擬体験によって理解してもらうことができ、耐震建物に対する理解を深めてもらうことができる。
【００１２】
耐震建物における揺れの状況と免震建物における揺れの状況とを比較して体験できるようになされている場合は、その比較によって、体験をする者に、地震に対する免震建物の実力のすごさをリアルに感じ取ってもらうことができる。
【００１３】
振動源がシステム用の床に設けられ、該床に、体験希望者を座らせるイスが設置され、振動源の振動がイスを通じてからだに伝えられるようになされており、かつ、イスの正面側に画面が設置されているのもよい。
【００１４】
この場合は、振動源がシステム用の床に設けられているので、振動源の組込みやメンテナンス等が容易であると共に、イスに座った楽な姿勢で体験を行ってもらうことができ、しかも、イスに組み込んだ振動源によって感じられる揺れよりも地震の揺れに近いリアルな揺れを感じ取ってもらうことができる。更に、画面がイスの正面側に設置されているので、イスにすわった自然な姿勢で気持ちを映像に集中してもらうことができ、視覚を通じた体験をリアルなものにすることができる。
【００１５】
振動源の振動が、前記システム用の床を設置する床に伝わるのを抑制ないしは防止する防振手段が備えられている場合は、振動源の振動が他に伝わるのを防ぐことができて、設置場所の確保をより一層容易にすることができる。
【００１６】
そして、上記の地震模擬体験システムを用い、体験希望者に地震模擬体験をしてもらうことで、地震に対する備えの必要性を世の中に広くしかも簡易にアピールしていくことができる。
【発明の効果】
【００１７】
本発明は、以上のとおりのものであるから、地震による揺れの状況をからだと目と耳の三感で説得力をもって感じ取ってもらうことができ、しかも、それを省スペースで実現することができる。
【発明を実施するための最良の形態】
【００１８】
次に、本発明の実施最良形態を図面に基づいて説明する。
【００１９】
図１及び図２に示す実施形態の地震模擬体験システムにおいて、１はシステム用の床であり、該システム用床１には、振動源としての振動スピーカー２…が組み込まれると共に、その床面上には、体験希望者を座らせるイス３，３が並列して設置され、振動スピーカー２…からの振動がイス３を通じてからだに、また、本実施形態では床面を通じて足裏にも伝えられて、地震による揺れの状況が振動で体感できるようになされている。なお、システム用の床１は、例えば２ｍ四方を越えない平面サイズのものなどからなっている。
【００２０】
上記のシステム用の床１は、防振手段としてのゴム材４などが備えられていて、該ゴム材４などを介して、該システム用の床１を設置する床５、例えば、建物内部のフロアーの床面に設置されるようになされて、振動スピーカー２…からの振動がフロアーの床面側に伝わらないようにされている。
【００２１】
更に、イス３，３の正面側には、大型のプラズマディスプレイ６が設置され、イス３に座った者に、その画面７によって、地震による揺れの状況を映像で見せることができるようになされていると共に、イス３の背後には、リアスピーカー８，８が設置され、イス３に座った者に、地震による揺れの状況を音で聞かせることができるようになされている。
【００２２】
画面７の映像は、二次元的な映像であってもよいが、イス３に座った者に視覚面での臨場感を味わってもらうため、立体映像であるとよい。立体映像は、裸眼実体視平行法によるものであってもよいし、アナグリフによるものであってもよいし、ステレオスコープによるものであってもよいし、その他のものであってもよい。また、画面７は、イス３の正面側にのみ備えられていてもよいが、図２に仮想線で示すように左右の斜め前方を含む三方に備えられている場合は特に、映像に対する集中力を高めることができる。
【００２３】
そして、上記の振動スピーカー２…と、リアスピーカー８，８と、プラズマディスプレイ６は、図示しない制御機器によって、連動して動作するようになされていて、地震による揺れの状況が、イス３，３に座った者に、画面７に表示される映像と、振動スピーカー２から伝えられる振動と、リアスピーカー８からの音とで、同時に伝えられるようになされており、あたかも地震の現場に居合わせたかのような体験をしてもらうことができるようになされている。
【００２４】
なお、システム用の床面１ａには、水の入ったグラス９がテーブル１０に置かれると共に、観葉植物１１が置かれ、床面１ａの振動がこれらに伝わって、ぐらい９の中の水や植物が振動によって揺れるようになされている。
【００２５】
画面７に映し出される映像は、街中の様子であってもよいし、建物の外観であってもよいし、特に制限はないが、本実施形態では、本棚や食器棚、パソコンラックなどの家具、吊り式、置き式等の電灯、額縁、ギターなどの楽器等が置かれた建物の内部、例えばリビングや二階の居室の状況を含んでいる。
【００２６】
そして、地震による建物内部や建物の外観上の揺れの状況を複数種類体験してもらうため、本実施形態では、耐震建物の剛性の違いによって揺れの状況がどのように違うのかを順次に比較体験してもらい、それに引き続いて、剛性が高く揺れの小さかった耐震建物と免震建物とで揺れの状況にどのような差を生じるのかを順次に比較体験してもらうことができるようになされている。
【００２７】
映像は、ＣＧによって表現された建物の映像であってもよいし、実物大の実験用建物を起振機で揺らした際の同建物の外観や建物内部の状況をビデオ等で撮影したものであってよい。音については、ＣＧ建物の場合には揺れの状況の種類に応じて異なるように作成あるいは録音された音であってよいし、実験用建物である場合には、ビデオ撮影時に撮影位置などで録音した音であってよい。
【００２８】
音の種類は、映像が建物の内部である場合には、例えば、家具のガタツキ音や、物が倒れたり、割れたりする音、建物のきしみ音、その他、地響き音などを、映像の動きと一致するように制作したり、録音したものなどであってよいし、建物の外観である場合には、建物のきしみ音や地響き音などであってよい。
【００２９】
振動の大きさや時間的な流れについては、映像や音によって表現されている内容と一致するようなもの、例えば、映像が建物の内部である場合には、その場所でイスに座っていればからだに感じるであろう揺れを感じさせることができるような形態の振動であるとよい。
【００３０】
ただ、剛性の違いによる耐震建物の揺れの違いや、耐震建物と免震建物との揺れの違いを体験的に比較して理解してもらうのが主目的である場合には、音と映像、振動の一致性などは、その目的の範囲内で、ある程度緩められていてもよい。
【００３１】
上記の体験システムでは、画面７と振動スピーカー２とリアスピーカー８が備えられて、地震による揺れの状況が、イス３に座った者に、画面７に表示される映像と、振動スピーカー２から伝えられる振動と、リアスピーカー８からの音とで、同時に伝えられるようになされているので、からだと目と耳の三感を使ってもらって説得力をもって地震を模擬的に体験してもらうことができる。
【００３２】
しかも、目で見てもらうのは画面７に映し出される映像であり、耳で聞いてもらうのはリアスピーカー８から発する音であるので、家具等の設置を省略したり、グラス９や観葉植物１１を置く程度の簡易なものにすることができて、設備を小型化でき、設備の設置スペースの確保を容易にすることができて、ハウスメーカーなどの支店やリビングサロンの空いた小さなスペースを有効利用して簡易に設置し、営業マンや、訪れたお客様に気軽に体験してもらうことができる。また、大型家具が実際に倒れ込んだりすることもなく安全に体験してもらうことができる。
【００３３】
そして、地震による揺れの状況を複数種類、比較して体験できるようになされているので、単に揺れを感じることができるだけでなく、地震による揺れの状況の違いによる感じ方の違いを知ることを通じて、納得のいく意味深い体験をしてもらうことができる。
【００３４】
以上に、本発明の実施形態を示したが、本発明はこれに限られるものではなく、発明思想を逸脱しない範囲で各種の変更が可能である。例えば、上記の実施形態では、同じ耐震建物でも剛性が異なれば揺れの状況もことなってくることや、耐震建物の場合と免震建物とで揺れの状況が異なることを、比較して体験してもらうようになされている場合を示したが、同じ建物において地震の震度の違いによって建物の揺れの状況がどのように違うのかを比較体験できたり、鉄骨と木造とで建物の揺れの状況がどのように違うのかを比較体験できるようになされていてもよい。
【００３５】
また、上記の実施形態では、振動源として振動スピーカーを用いた場合を示したが、振動源として、振動のみを伝える例えば各種起振機などが用いられてもよい。即ち、振動も音もいずれも波動からなるものであり、振動源とスピーカーとは一体化されたものであってよいし、別体のものからなってそれぞれ備えられていてもよい。また、地震による揺れの状況を映像で見せる画面は、プラズマ画面に限らず、液晶画面や、プロジェクターと組み合わせで用いられるスクリーンなどであってもよく、特に制限はない。もちろん、映像は動画であるのが好ましいが、表現しようとする地震の状況の内容や性質によっては静止画であってもよい。
【００３６】
更に、上記の実施形態では、体験しようとする者を座らせるイス３…が備えられている場合を示したが、システム用の床１に安全用の手摺りを設置し、手摺りをもってシステム用の床面１ａに立った姿勢で体験を行ってもらうようなシステム構成にされていてもよいし、システム用の床面にベッドを設置し、ベッドに横になって体験してもらうようにしてもよい。ベッドの場合には、画面は天井側に備えられていると、映像を楽に見ることができる。
【００３７】
また、床面１ａ側の振動源を省略し、振動源を組み込んだイスをシステム用の床面１ａに設置してシステムを構成するようにしてもよいし、振動源を組み込んだイスが防振手段も備えている場合には、システム用の床を省略してもよい。
【００３８】
また、本発明におけるスピーカーは、イヤホンに組み込まれたものであってもよく、その場合には、防振手段との組み合わせで、振動についても音についても周囲に迷惑をかけることなく、体験を行ってもらうことができる。
【図面の簡単な説明】
【００３９】
【図１】実施形態の地震模擬体験システムを示す側面図である。
【図２】慈雨システムの平面図である。
【符号の説明】
【００４０】
１…システム用の床
２…振動スピーカー（振動源）
３…イス
４…ゴム材（防振手段）
７…画面
８…リアスピーカー（スピーカー）
【図１】
2006189481.tif 000003
【図２】
2006189481.tif 000004